(57)【特許請求の範囲】
【請求項１】
物体側から像側へ順に、正の屈折力の第１レンズ群、負の屈折力の第２レンズ群、光路を折り曲げる反射部材を含む第３レンズ群、複数のレンズ群を含む後群より構成され、前記後群は、物体側から像側へ順に、負の屈折力のレンズ群Ｎ、正の屈折力のレンズ群Ｐ１、正の屈折力のレンズ群Ｐ２を有し、前記レンズ群Ｎは負レンズと正レンズよりなり、ズーミングに際して、隣り合うレンズ群の間隔が変化するように、前記第１レンズ群、前記第２レンズ群、前記レンズ群Ｐ１、前記レンズ群Ｐ２が移動し、前記第３レンズ群はズーミングのためには不動であり、前記第１レンズ群の焦点距離をｆ１、望遠端における全系の焦点距離をｆｔとするとき、
０．２＜ｆ１／ｆｔ＜０．５
なる条件式を満足することを特徴とするズームレンズ。
【請求項２】
前記後群は、物体側から像側へ順に、正の屈折力の第４レンズ群、負の屈折力の第５レンズ群、正の屈折力の第６レンズ群、正の屈折力の第７レンズ群を有し、前記第５レンズ群は負レンズと正レンズよりなり、前記第５レンズ群の焦点距離をｆ５、広角端における全系の焦点距離をｆｗ、前記第５レンズ群の負レンズの焦点距離をｆ５ｎ、前記第５レンズ群の負レンズと正レンズの材料のアッベ数を各々ν５ｎ、ν５ｐとするとき、
−５．０＜ｆ５／ｆｗ＜−２．０
０．３＜ｆ５ｎ／ｆ５＜１．１
１２＜ν５ｎ−ν５ｐ＜２８
なる条件式を満足することを特徴とする請求項１に記載のズームレンズ。
【請求項３】
広角端から望遠端へのズーミングにおける前記第１レンズ群の移動量をｍ１、広角端から望遠端へのズーミングにおける前記第４レンズ群の移動量をｍ４、広角端から望遠端へのズーミングにおける前記第６レンズ群の移動量をｍ６とするとき、
０．６＜ｍ１／ｍ４＜１．１
０．５＜ｍ６／ｆｗ＜１．７
なる条件式を満足することを特徴とする請求項２に記載のズームレンズ。
【請求項４】
広角端から望遠端へのズーミングにおける前記第４レンズ群の移動量をｍ４、広角端から望遠端へのズーミングにおける前記第５レンズ群の移動量をｍ５、広角端から望遠端へのズーミングにおける前記第６レンズ群の移動量をｍ６、広角端から望遠端へのズーミングにおける前記第７レンズ群の移動量をｍ７とするとき、
１．６＜ｍ４／（ｍ６−ｍ５）＜３．５
−１．３＜ｍ６／ｍ７＜−０．４
１５＜ｆｔ／ｆｗ＜３０
なる条件式を満足することを特徴とする請求項２又は３に記載のズームレンズ。
【請求項５】
前記第３レンズ群は負の屈折力を有し、無限遠物体から近距離物体へのフォーカシングに際して、前記第７レンズ群は物体側に移動することを特徴とする請求項２乃至４のいずれか１項に記載のズームレンズ。
【請求項６】
前記第３レンズ群は負の屈折力を有し、前記後群は、物体側から像側へ順に、正の屈折力の第４レンズ群、負の屈折力の第５レンズ群、正の屈折力の第６レンズ群、正の屈折力の第７レンズ群を有し、
広角端から望遠端へのズーミングに際して、前記第１レンズ群は像側へ凸状の軌跡を描いて移動し、前記第２レンズ群は像側へ移動し、前記第４レンズ群は物体側へ移動し、前記第５レンズ群はズーミングのためには不動であり、前記第６レンズ群は物体側へ移動し、前記第７レンズ群は物体側へ凸の軌跡を描いて移動し、
該ズームレンズの沈胴収納に際して、前記第３レンズ群は前記第１、第２レンズ群の光軸に対して垂直方向へ移動し、前記第３レンズ群の移動によって生じた空間に前記第１、第２レンズ群の少なくとも一部が沈胴収納されることを特徴とする請求項１乃至５のいずれか１項に記載のズームレンズ。
【請求項７】
前記後群は、物体側から像側へ順に、正の屈折力の第４レンズ群、負の屈折力の第５レンズ群、正の屈折力の第６レンズ群、正の屈折力の第７レンズ群、正の屈折力の第８レンズ群より構成され、
広角端から望遠端へのズーミングに際して、前記第１レンズ群は像側へ凸状の軌跡を描いて移動し、前記第２レンズ群は像側へ移動し、前記第４レンズ群は物体側へ移動し、前記第５レンズ群はズーミングのためには不動であり、前記第６レンズ群は物体側へ移動し、前記第７レンズ群は物体側へ凸の軌跡を描いて移動し、前記第８レンズ群はズーミングのためには不動であることを特徴とする請求項１乃至６のいずれか１項に記載のズームレンズ。
【請求項８】
請求項１乃至７のいずれか１項に記載のズームレンズと、該ズームレンズによって形成された像を受光する固体撮像素子を有することを特徴とする撮像装置。
【発明の詳細な説明】
【技術分野】
【０００１】
本発明はデジタルスチルカメラ、ビデオカメラ等に好適な小型で高ズーム比のズームレンズに関する。特に非撮影時に撮影装置全体の小型化が容易な携帯性に優れたズームレンズに関する。
【背景技術】
【０００２】
最近、撮像装置に用いられる撮影光学系は、高ズーム比で、全体が小型であることが求められており、特にカメラに適用したときカメラの厚みを薄くできるズームレンズであることが求められている。カメラの小型化とズームレンズの高ズーム比化を図るため、非撮影時に各レンズ群の間隔を撮影状態と異なる間隔まで縮小してカメラ筐体内に収納する、所謂沈胴式のズームレンズが知られている。またカメラの厚みを薄くするために、撮影光学系の光軸を９０°折り曲げる反射部材を光路中に配置した、所謂屈曲式のズームレンズが知られている（特許文献１）。
【０００３】
特許文献１では物体側より像側へ順に、正、負、正、正の屈折力の第１乃至第４レンズ群からなり第２レンズ群と第３レンズ群の間に折り曲げ用の反射部材を配したズーム比６程度のズームレンズを開示している。
【０００４】
また沈胴式と屈曲式の両方式を複合した方式として、非撮影時には反射部材が移動し、反射部材が移動することによって生じた空間に、反射部材の物体側に位置するレンズ群を沈胴収納するようにした、所謂屈曲沈胴式のズームレンズが知られている（特許文献２）。特許文献２では物体側から像側へ順に、正、負、正、正、負、正の屈折力の第１乃至第６レンズ群からなり、第３レンズ群に光路を略９０度に折り曲げる反射部材を配したズーム比１０程度のズームレンズを開示している。
【先行技術文献】
【特許文献】
【０００５】
【特許文献１】特開２００７−２５１２３号公報
【特許文献２】特開２００８−１０２３９８号公報
【発明の概要】
【発明が解決しようとする課題】
【０００６】
撮影光学系の光路を折り曲げる反射部材を備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射部材の光路中の配置等を適切に設定することが重要になってくる。例えば、レンズ群の数、各レンズ群の屈折力配置、ズーミングの際の各レンズ群の移動条件等のレンズ構成や反射部材を光路中に配置するときの位置等を適切に設定することが重要になってくる。これらの構成が適切でないと、上記の効果を得ることが難しい。
【０００７】
特許文献１では第２レンズ群と第３レンズ群の間に反射部材を配した広角端における撮影半画角が３３度程度、ズーム比６程度のズームレンズを開示している。また特許文献２では第３レンズ群に反射部材を配した、広角端における撮影半画角４０度程度、ズーム比１０程度のズームレンズを開示している。特許文献１、２のズームレンズにおいて更に高ズーム比化を図ろうとすると変倍用のレンズ群の移動量が増大し、また前玉有効径も増大し、レンズ径全体が大型化する傾向となる。
【０００８】
例えばズーム比１５〜２０程度の高ズーム比化を図ろうとすると、反射部材よりも物体側の各レンズ群のズーミングに際しての移動量が増大し、レンズ系全体が大型化してくる傾向がある。
【０００９】
本発明は、高ズーム比で良好なる画像を容易に得ることができ、しかもカメラに適用したときカメラ等の厚みを薄くすることができるズームレンズ及びそれを用いた撮像装置を提供することを目的とする。
【課題を解決するための手段】
【００１０】
本発明のズームレンズは、物体側から像側へ順に、正の屈折力の第１レンズ群、負の屈折力の第２レンズ群、光路を折り曲げる反射部材を含む第３レンズ群、複数のレンズ群を含む後群より構成され、前記後群は、物体側から像側へ順に、負の屈折力のレンズ群Ｎ、正の屈折力のレンズ群Ｐ１、正の屈折力のレンズ群Ｐ２を有し、前記レンズ群Ｎは負レンズと正レンズよりなり、ズーミングに際して、隣り合うレンズ群の間隔が変化するように、前記第１レンズ群、前記第２レンズ群、前記レンズ群Ｐ１、前記レンズ群Ｐ２が移動し、前記第３レンズ群はズーミングのためには不動であり、前記第１レンズ群の焦点距離をｆ１、望遠端における全系の焦点距離をｆｔとするとき、
０．２＜ｆ１／ｆｔ＜０．５
なる条件式を満足することを特徴としている。
【発明の効果】
【００１１】
本発明によれば、高ズーム比で良好なる画像を容易に得ることができ、しかもカメラに適用したときカメラ等の厚みを薄くすることができるズームレンズが得られる。
【図面の簡単な説明】
【００１２】
【図１】本発明の実施例１の光路を展開したときの、（Ａ）は広角端、（Ｂ）は中間のズーム位置、（Ｃ）は望遠端におけるレンズ断面図
【図２】本発明の実施例１の（Ａ）は広角端、（Ｂ）は中間のズーム位置、（Ｃ）は望遠端における収差図
【図３】本発明の実施例２の光路を展開したときの、（Ａ）は広角端、（Ｂ）は中間のズーム位置、（Ｃ）は望遠端におけるレンズ断面図
【図４】本発明の実施例２の（Ａ）は広角端、（Ｂ）は中間のズーム位置、（Ｃ）は望遠端における収差図
【図５】本発明の実施例３の光路を展開したときの、（Ａ）は広角端、（Ｂ）は中間のズーム位置、（Ｃ）は望遠端におけるレンズ断面図
【図６】本発明の実施例３の（Ａ）は広角端、（Ｂ）は中間のズーム位置、（Ｃ）は望遠端における収差図
【図７】本発明の実施例４の光路を展開したときの、（Ａ）は広角端、（Ｂ）は中間のズーム位置、（Ｃ）は望遠端におけるレンズ断面図
【図８】本発明の実施例４の（Ａ）は広角端、（Ｂ）は中間のズーム位置、（Ｃ）は望遠端における収差図
【図９】本発明の実施例５の光路を展開したときの、（Ａ）は広角端、（Ｂ）は中間のズーム位置、（Ｃ）は望遠端におけるレンズ断面図
【図１０】本発明の実施例５の（Ａ）は広角端、（Ｂ）は中間のズーム位置、（Ｃ）は望遠端における収差図
【図１１】本発明の実施例６の光路を展開したときの、（Ａ）は広角端、（Ｂ）は中間のズーム位置、（Ｃ）は望遠端におけるレンズ断面図
【図１２】本発明の実施例６の（Ａ）は広角端、（Ｂ）は中間のズーム位置、（Ｃ）は望遠端における収差図
【図１３】本発明の実施例１のズームレンズの（Ｗ）は広角端、（Ｔ）は望遠端におけるレンズ断面図
【図１４】本発明の実施例１のズームレンズの沈胴状態のレンズ断面図
【図１５】本発明の撮像装置の要部概略図
【発明を実施するための形態】
【００１３】
以下に、本発明の好ましい実施の形態を、添付の図面に基づいて説明する。本発明のズームレンズは、物体側から像側へ順に、正の屈折力の第１レンズ群、負の屈折力の第２レンズ群、光路を折り曲げる反射プリズムや反射ミラー等からなる反射部材を含む第３レンズ群、複数のレンズ群を含む後群からなる。
【００１４】
後群は、物体側から像側へ順に、負の屈折力のレンズ群Ｎ、正の屈折力のレンズ群Ｐ１、正の屈折力のレンズ群Ｐ２を有している。そしてレンズ群Ｎは負レンズと正レンズよりなる。ズーミングに際して、隣り合うレンズ群の間隔が変化するように、第１レンズ群、第２レンズ群、レンズ群Ｐ１、レンズ群Ｐ２が移動し、第３レンズ群はズーミングにためには不動である。
【００１５】
図１（Ａ）、（Ｂ）、（Ｃ）は本発明の実施例１のズームレンズの光路を展開したときの広角端（短焦点距離端）、中間のズーム位置、望遠端（長焦点距離端）におけるレンズ断面図である。図２（Ａ）、（Ｂ）、（Ｃ）はそれぞれ実施例１のズームレンズの広角端、中間のズーム位置、望遠端における収差図である。実施例１はズーム比１８．９９、Ｆナンバー３．６７〜６．０７である。
【００１６】
図３（Ａ）、（Ｂ）、（Ｃ）は本発明の実施例２のズームレンズの光路を展開したときの広角端、中間のズーム位置、望遠端におけるレンズ断面図である。図４（Ａ）、（Ｂ）、（Ｃ）はそれぞれ実施例２のズームレンズの広角端、中間のズーム位置、望遠端における収差図である。実施例２はズーム比１９．０３、Ｆナンバー３．６５〜６．０７である。
【００１７】
図５（Ａ）、（Ｂ）、（Ｃ）は本発明の実施例３のズームレンズの光路を展開したときの広角端、中間のズーム位置、望遠端におけるレンズ断面図である。図６（Ａ）、（Ｂ）、（Ｃ）はそれぞれ実施例３のズームレンズの広角端、中間のズーム位置、望遠端における収差図である。実施例３はズーム比１８．９７、Ｆナンバー２．９４〜６．０７である。
【００１８】
図７（Ａ）、（Ｂ）、（Ｃ）は本発明の実施例４のズームレンズの光路を展開したときの広角端、中間のズーム位置、望遠端におけるレンズ断面図である。図８（Ａ）、（Ｂ）、（Ｃ）はそれぞれ実施例４のズームレンズの広角端、中間のズーム位置、望遠端における収差図である。実施例４はズーム比１８．９８、Ｆナンバー３．７５〜６．０７である。
【００１９】
図９（Ａ）、（Ｂ）、（Ｃ）は本発明の実施例５のズームレンズの光路を展開したときの広角端、中間のズーム位置、望遠端におけるレンズ断面図である。図１０（Ａ）、（Ｂ）、（Ｃ）はそれぞれ実施例５のズームレンズの広角端、中間のズーム位置、望遠端における収差図である。実施例５はズーム比１８．９９、Ｆナンバー３．６６〜６．０７である。
【００２０】
図１１（Ａ）、（Ｂ）、（Ｃ）は本発明の実施例６のズームレンズの光路を展開したときの広角端、中間のズーム位置、望遠端におけるレンズ断面図である。図１２（Ａ）、（Ｂ）、（Ｃ）はそれぞれ実施例６のズームレンズの広角端、中間のズーム位置、望遠端における収差図である。実施例６はズーム比２３．６４、Ｆナンバー３．７５〜６．８９である。
【００２１】
図１３（Ｗ）、（Ｔ）は実施例１のズームレンズの広角端と望遠端において反射部材で光軸を折り曲げた撮影状態の説明図である。図１４は本発明のズームレンズをカメラ本体に収納したときの収納状態（沈胴状態）（非撮影時）の説明図である。図１５は本発明のズームレンズを備えるデジタルカメラ（撮像装置）の要部概略図である。
【００２２】
各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ｉは物体側からのレンズ群の順番を示し、Ｌｉは第ｉレンズ群である。ＬＲは複数のレンズ群を含む後群である。
【００２３】
ＰＲは光学系の光軸を９０度（９０度±１０度以内）折り曲げる反射面を含む反射プリズムや反射ミラー等からなる反射部材である。矢印は広角端から望遠端へのズーミングにおける各レンズ群の移動軌跡を示している。収差図において、ＦｎｏはＦナンバー、ωは撮影半画角（度）である。球面収差図において実線はｄ線、２点鎖線はｇ線である。非点収差図において実線はｄ線のサジタル像面、点線はｄ線のメリディオナル像面である。倍率色収差はｇ線によって表している。
【００２４】
レンズ断面図において、Ｌ１は正の屈折力（光学的パワー＝焦点距離の逆数）の第１レンズ群である。Ｌ２は負の屈折力の第２レンズ群である。Ｌ３は光路を折り曲げる反射部材ＰＲを有する負の屈折力の第３レンズ群である。ＬＲは複数のレンズ群を含む後群である。後群ＬＲは正の屈折力の第４レンズ群Ｌ４、負の屈折力の第５レンズ群Ｌ５、正の屈折力の第６レンズ群Ｌ６、正の屈折力の第７レンズ群Ｌ７より成っている。図５の実施例３では、更に正の屈折力の第８レンズ群Ｌ８を有している。
【００２５】
各実施例では第５レンズ群がレンズ群Ｎに、第６レンズ群がレンズ群Ｐ１に、第７レンズ群がレンズ群Ｐ２に相当している。
【００２６】
反射部材ＰＲは反射面ＰＲａを含む反射プリズムよりなり、第３レンズ群Ｌ３に含まれており、光軸上の光線を入射方向に対し９０度反射させている。ＳＰは開口絞りであり、第４レンズ群Ｌ４に配置されている。ＧＢは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００２７】
広角端より望遠端へのズーミングに際し、第１レンズ群Ｌ１は像側へ凸状の軌跡を描いて移動し、第２レンズ群Ｌ２は像側へ移動し、第３レンズ群Ｌ３はズーミングのためには不動である。第４レンズ群Ｌ４は物体側へ移動し、第５レンズ群Ｌ５はズーミングのためには不動である。尚、第５レンズ群Ｌ５は必要に応じて移動しても良い。第６レンズ群Ｌ６は物体側へ移動し、第７レンズ群Ｌ７は物体側へ凸の軌跡を描いて移動する。
【００２８】
図５の実施例３ではズーミングに際して第８レンズ群Ｌ８は不動である。このとき広角端に比べて望遠端において、第１レンズ群Ｌ１と第２レンズ群Ｌ２の間隔が増大し、第２レンズ群Ｌ２と第３レンズ群Ｌ３の間隔が減少し、第３レンズ群Ｌ３と第４レンズ群Ｌ４の間隔が減少する。また第４レンズ群Ｌ４と第５レンズ群Ｌ５の間隔が増大し、第５レンズ群Ｌ５と第６レンズ群Ｌ６の間隔が減少し、第６レンズ群Ｌ６と第７レンズ群Ｌ７の間隔は増大する。無限遠物体から近距離物体へのフォーカシングに際し、第７レンズ群は物体側に移動する。
【００２９】
各実施例のズームレンズは、撮影光学系内部に物体側からの光を折り曲げる反射部材ＰＲを含むことで、カメラの厚み方向を薄くすることを容易にしている。
【００３０】
各実施例では、第１レンズ群Ｌ１の屈折力を強くすることで、ズーミングの際の第１レンズ群Ｌ１の移動量を小さくして、カメラの厚みを薄くしている。さらに、撮影状態（図１３（Ｗ）、（Ｔ））から収納状態（図１４）へ移る際は、第３レンズ群Ｌ３乃至第７レンズ群Ｌ７が第１、第２レンズ群Ｌ１、Ｌ２の光軸に対し垂直方向で像側に移動する。更に第３レンズ群Ｌ３が移動することによって生じた空間に第１レンズ群Ｌ１及び第２レンズ群Ｌ２の少なくとも一部が沈胴収納されるようにしている。このような屈曲沈胴式のズームレンズを採用することによって、カメラの更なる薄型化を実現している。
【００３１】
本実施例ではカメラの電源をｏｆｆし収納状態に移行する時に、反射部材ＰＲを含む第３レンズ群Ｌ３が像側の方向に退避し、その退避したスペースに第１レンズ群Ｌ１、第２レンズ群Ｌ２が沈胴して、収納される構成となっている。各実施例のズームレンズはズーム比２０程度の高ズーム比である。そして高ズーム比を確保しつつ、カメラに適用したときのカメラの厚み方向、及び横幅方向共にコンパクトに収納する為に、光路中に光路折り曲げ用の反射部材ＰＲを設け、反射部材ＰＲの前後における各レンズ群の変倍分担をバランス良く配置させている。
【００３２】
特に反射部材ＰＲの物体側に配される正の屈折力の第１レンズ群Ｌ１と負の屈折力の第２レンズ群Ｌ２において、主変倍レンズ群となる第２レンズ群Ｌ２の変倍負担を適切に設定しつつ、前玉有効径の小型化を図っている。このとき、第２レンズ群Ｌ２に所望の変倍分担を担わせる為には、第１レンズ群Ｌ１の焦点距離を適切に設定する必要がある。
【００３３】
そこで各実施例では、第１レンズ群Ｌ１の焦点距離をｆ１、望遠端における全系の焦点距離をｆｔとする。このとき、
０．２＜ｆ１／ｆｔ＜０．５        ・・・（１）
なる条件式を満足している。条件式（１）は第１レンズ群Ｌ１の焦点距離を望遠端における全系の焦点距離で規格化したものである。
【００３４】
主変倍レンズ群である第２レンズ群Ｌ２の変倍の負担は大きい。前玉有効径を小型に維持しつつ第２レンズ群Ｌ２に所望の変倍分担を担わせる為には、第１レンズ群Ｌ１の焦点距離を適切に設定する必要がある。条件式（１）の上限値を超えて第１レンズ群Ｌ１の焦点距離が大きくなりすぎると第２レンズ群Ｌ２で充分な変倍分担を得ることが困難になる。この結果、所望の変倍比を得る為に反射部材ＰＲより像側のレンズ群の負担が大きくなり、カメラの横幅が大型化してくるので良くない。
【００３５】
条件式（１）の下限値を超えて第１レンズ群Ｌ１の焦点距離が小さくなりすぎると、第１レンズ群Ｌ１と第２レンズ群Ｌ２の偏心敏感度が増大し、レンズの組み付けに際して片ボケが増大し良好な性能を確保する事が困難となってくる。
【００３６】
以上のように第１レンズ群Ｌ１の焦点距離を条件式（１）を満足するように適切に設定する事により、第１レンズ群Ｌ１、第２レンズ群Ｌ２のズーミングに際しての移動量を少なく維持しつつも第２レンズ群Ｌ２に所望の変倍分担をさせている。更に好ましくは条件式（１）は次の如く設定するのが良い。
【００３７】
０．２３＜ｆ１／ｆｔ＜０．４０        ・・・（１ａ）
この様に第１レンズ群Ｌ１、第２レンズ群Ｌ２のズーミングに際しての移動量を少なくする事によって、沈胴収納時には少ない沈胴段数で、反射部材を含む第３レンズ群Ｌ３が退避したスペースに第１レンズ群Ｌ１、第２レンズ群Ｌ２の一部を沈胴させている。
【００３８】
上記構成により携帯時のカメラの厚み方向をコンパクトにしている。光路折り曲げ用の反射部材の像側は正の屈折力の第４レンズ群Ｌ４、負の屈折力の第５レンズ群Ｌ５、正の屈折力の第６レンズ群Ｌ６、正の屈折力の第７レンズ群Ｌ７を配している。これにより、反射部材ＰＲの外径及び反射部材ＰＲから像面までの長さをコンパクトに維持しつつも所望の変倍を効果的に得ている。
【００３９】
第４レンズ群Ｌ４は開口絞りＳＰを含み、広角端より望遠端へのズーミングに際して物体側へ移動し反射部材ＰＲよりも像側の主たる変倍分担を担う。第４レンズ群Ｌ４はズーミングに際しての移動量の絶対値が大きい。このとき、あまり大きな変倍分担を第４レンズ群Ｌ４に持たせるとズーミングに際しての移動量が増大する。そうすると、広角端における第３レンズ群Ｌ３と第４レンズ群Ｌ４の空気間隔が大きくなり、反射部材ＰＲが大型化してくる。
【００４０】
そこで、各実施例では負の屈折力の第５レンズ群（レンズ群Ｎ）Ｌ５の像側にズーミングに際して移動する正の屈折力の２つのレンズ群（レンズ群Ｐ１とレンズ群Ｐ２）を配置して変倍分担を分散させている。これによりレンズ径の増大を抑えると共に、反射部材ＰＲから像面までの長さを短く維持しつつ所望の変倍比が得られるようにしている。これらの構成においてはズーミング中の倍率色収差の変動を良好に補正する為に第５レンズ群Ｌ５は正レンズと負レンズで構成し色消しを行っている。
【００４１】
以上の構成により所望の変倍比を有しつつカメラの厚み方向及び横幅方向共にコンパクトにしている。次に各実施例における更に好ましい構成について説明する。
【００４２】
物体側から像側へ順に、後群ＬＲが正の屈折力の第４レンズ群Ｌ４、負の屈折力の第５レンズ群Ｌ５、正の屈折力の第６レンズ群Ｌ６、正の屈折力の第７レンズ群Ｌ７を有しているときは、次の諸条件のうち１つ以上を満足するのが良い。そして第５レンズ群Ｌ５は負レンズと正レンズよりなり、第５レンズ群Ｌ５の負レンズと正レンズの材料のアッベ数を各々ν５ｎ、ν５ｐとする。第５レンズ群Ｌ５の負レンズの焦点距離をｆ５ｎ、第５レンズ群Ｌ５の焦点距離をｆ５、広角端と望遠端における全系の焦点距離を各々ｆｗ、ｆｔとする。
【００４３】
広角端から望遠端へのズーミングにおける第１レンズ群Ｌ１の移動量をｍ１、第４レンズ群Ｌ４の移動量をｍ４、第５レンズ群Ｌ５の移動量をｍ５、第６レンズ群Ｌ６の移動量をｍ６、第７レンズ群Ｌ７の移動量をｍ７とする。移動量の符号は物体側への移動を正、像側への移動を負とする。
【００４４】
−５．０＜ｆ５／ｆｗ＜−２．０      ・・・（２）
０．３＜ｆ５ｎ／ｆ５＜１．１        ・・・（３）
１２＜ν５ｎ−ν５ｐ＜２８          ・・・（４）
０．６＜ｍ１／ｍ４＜１．１          ・・・（５）
０．５＜ｍ６／ｆｗ＜１．７          ・・・（６）
１．６＜ｍ４／（ｍ６−ｍ５）＜３．５・・・（７）
−１．３＜ｍ６／ｍ７＜−０．４      ・・・（８）
１５＜ｆｔ／ｆｗ＜３０              ・・・（９）
次に前述の各条件式の技術的意味について説明する。
【００４５】
条件式（２）は第６レンズ群Ｌ６以降に所望の変倍分担を持たせる為、第５群レンズ群Ｌ５の焦点距離を適切に設定するためのものである。条件式（２）は第５レンズ群Ｌ５の焦点距離を広角端における全系の焦点距離で規格化している。条件式（２）の上限値を超えて第５レンズ群Ｌ５の焦点距離が短くなり過ぎると、第５レンズ群Ｌ５以降のレンズ群でのズーミングによる倍率色収差の変動を補正するのが困難となってくる。
【００４６】
条件式（２）の下限値を超えて第５レンズ群Ｌ５の焦点距離が長くなり過ぎると、第５レンズ群Ｌ５以降のレンズに所望の変倍分担を持たせる事が難しくなり、第４レンズ群Ｌ４の変倍の負担が大きくなってくる。このため、反射部材ＰＲの有効径が増大し、レンズ系全体が大型化してくる。
【００４７】
条件式（３）、（４）はズーミングにおける倍率色収差の変動を良好に補正する為に第５レンズ群Ｌ５内の負レンズの焦点距離と、第５レンズ群Ｌ５内の負レンズと、正レンズの材料のアッベ数を適切に設定するためのものである。このうち条件式（３）は第５レンズ群Ｌ５内の負レンズの焦点距離を第５レンズ群Ｌ５の焦点距離で規格化している。条件式（３）の上限値を超えて負レンズの焦点距離が長くなりすぎると第５レンズ群Ｌ５より発生する色収差が増大する。この為、ズーミングに際して倍率色収差の変動を良好に補正する事が困難となってくる。
【００４８】
条件式（３）の下限値を超えて負レンズの焦点距離が短くなりすぎると、第５レンズ群Ｌ５中の正レンズの焦点距離も短くなり第５レンズ群Ｌ５全体の厚みが増大する。この結果、反射部材ＰＲより像側のレンズ群の長さが増大してくるので良くない。
【００４９】
条件式（４）は第５レンズ群Ｌ５を構成する正レンズと負レンズの材料のアッベ数の差を特定している。条件式（４）の上限値を超えてアッベ数の差が大きくなりすぎる又は下限値を超えてアッベ数の差が小さくなりすぎると第５レンズ群Ｌ５で発生する倍率色収差の補正が困難となる。この為ズーミングによる倍率色収差の変動を補正する事が困難となってくる。
【００５０】
条件式（５）、（６）は反射部材ＰＲの前後での変倍分担をバランス良く配置させる為に、第１レンズ群Ｌ１、第４レンズ群Ｌ４、第６レンズ群Ｌ６のズーミングに際しての移動量を適切に設定するためのものである。条件式（５）はズーミングに際しての第１レンズ群Ｌ１と第４レンズ群Ｌ４の移動量の比に関する。条件式（５）の上限値を超えて第４レンズ群Ｌ４の移動量に対して第１レンズ群Ｌ１の移動量が大きくなりすぎると第１レンズ群を沈胴させる為のメカ機構が複雑になってくる。このため沈胴時にカメラ厚の薄型化を図るのが困難になってくる。
【００５１】
条件式（５）の下限値を超えて第１レンズ群Ｌ１の移動量に対して第４レンズ群Ｌ４の移動量が大きくなりすぎると広角端において開口絞りを有する第４レンズ群Ｌ４と第３レンズ群の距離を大きくとらなければならない。この為、反射部材ＰＲの有効径が大きくなりレンズ系全体が大型化してくる。
【００５２】
条件式（６）は第６レンズ群Ｌ６のズーミングに際しての移動量を広角端における全系の焦点距離で規格化したものである。条件式（６）の上限値を超えて第６レンズ群Ｌ６の移動量が大きくなりすぎると、反射部材ＰＲから像面までの長さが長くなりカメラの横幅が大型化してくる。条件式（６）の下限値を超えて第６レンズ群Ｌ６の移動量が小さくなりすぎると所望の変倍を得る為、第２レンズ群Ｌ２、第４レンズ群Ｌ４の変倍負担が大きくなりレンズ系全体が大型化してくる。
【００５３】
以上のように条件式（５）、（６）を満足させることによって、所望の変倍を確保しつつレンズ系全体の小型化を達成している。
【００５４】
特に各実施例のズームレンズでは広角端の撮影画角として３６°以上を確保している。そして第２レンズ群Ｌ２で所望の変倍比を得る為に第１レンズ群Ｌ１と第２レンズ群Ｌ２の間隔変化を十分確保しつつ、前玉有効径を抑える為に第１レンズ群Ｌ１と反射部材ＰＲの広角端での距離を短くしている。
【００５５】
条件式（７）、（８）は変倍比を全レンズ群で担いつつ反射部材ＰＲの有効径と長さの増大を抑える為にズーミングに際しての第４レンズ群Ｌ４乃至第７レンズ群Ｌ７の移動量を適切に設定することによって変倍分担を分散させるものである。条件式（７）は第４レンズ群Ｌ４の移動量を第６レンズ群Ｌ６と第５レンズ群Ｌ５のズーミングに際しての移動量の差で割ったものである。
【００５６】
条件式（７）の上限値を超えて、第４レンズ群Ｌ４のズーミングに際しての移動量が大きくなりすぎると広角端において開口絞りを有する第４レンズ群Ｌ４と反射部材ＰＲを含む第３レンズ群Ｌ３の距離を大きくとらなければならない。この結果、反射部材ＰＲの有効径が大きくなりレンズ系全体が大型化してくる。条件式（７）の下限値を超えて、第４レンズ群Ｌ４のズーミングに際しての移動量が小さくなりすぎると反射部材ＰＲより物体側の第２レンズ群Ｌ２の変倍負担が大きくなり前玉有効径が増大してくる。
【００５７】
条件式（８）は第６レンズ群Ｌ６と第７レンズ群Ｌ７のズーミングに際しての移動量の比に関するものである。条件式（８）の上限値を超えて第６レンズ群Ｌ６の移動量が大きくなりすぎると、反射部材ＰＲから像面までの長さが長くなりカメラの横幅が大型化してくる。条件式（８）の下限値を超えて第６レンズ群Ｌ６の移動量が小さくなりすぎると所望の変倍を得る為、第２レンズ群Ｌ２と第４レンズ群Ｌ４の変倍負担が大きくなりレンズ系全体が大型化してくる。
【００５８】
条件式（９）は望遠端における全系の焦点距離と広角端における全系の焦点距離の比に関し、所望の変倍比の範囲を示すものである。条件式（９）は条件式（７）、（８）と同時に満足させると好ましい。条件式（９）の上限値をこえて変倍比が大きくなりすぎると、レンズ系全体が大型化してくる。条件式（９）の下限値を超えて変倍比が小さくなると、高ズーム比化が困難となる。更に好ましくは、条件式（２）乃至（９）を次の如く設定するのが良い。
【００５９】
−４．５＜ｆ５／ｆｗ＜−２．５          ・・・（２ａ）
０．４＜ｆ５ｎ／ｆ５＜０．８            ・・・（３ａ）
１３＜ν５ｎ−ν５ｐ＜２５              ・・・（４ａ）
０．７＜ｍ１／ｍ４＜１．０              ・・・（５ａ）
０．７＜ｍ６／ｆｗ＜１．６              ・・・（６ａ）
１．７＜ｍ４／（ｍ６−ｍ５）＜３．０    ・・・（７ａ）
−１．２＜ｍ６／ｍ７＜−０．５          ・・・（８ａ）
１７＜ｆｔ／ｆｗ＜２６                  ・・・（９ａ）
次に各実施例のレンズ構成について説明する。
【００６０】
以下、物体側より像側へ次のとおりである。実施例１において、第１レンズ群Ｌ１は負レンズと正レンズの接合レンズ、正レンズの３つのレンズ、第２レンズ群Ｌ２は負レンズ、負レンズ、正レンズの３つのレンズ、第３レンズ群Ｌ３は反射部材ＰＲと負レンズよりなっている。
【００６１】
第４レンズ群Ｌ４は正レンズ、開口絞り、像側の面が凹のメニスカス形状の負レンズ、両凸形状の正レンズと負レンズを接合した接合レンズの４つのレンズよりなっている。このとき、接合レンズを光軸と垂直方向の成分を持つようにシフトさせて手ぶれによる画像ぶれを補正している。第５レンズ群Ｌ５は負レンズと正レンズを接合した接合レンズからなり、第６レンズ群Ｌ６は正レンズからなり、第７レンズ群Ｌ７は両凸形状の正レンズと負レンズを接合した接合レンズからなる。
【００６２】
ズーミングに際して、第３レンズ群Ｌ３と第５レンズ群Ｌ５は像面に対して固定されている。実施例２、４乃至６においてレンズ構成、ズーミングにおける各レンズ群の移動、各レンズ群のレンズ構成は実施例１と同様である。実施例３は実施例１に比べて、第７レンズ群Ｌ７の像側に正の屈折力の第８レンズ群Ｌ８を有すること、第６レンズ群Ｌ６と第７レンズ群Ｌ７のレンズ構成が異なっている。第１レンズ群Ｌ１乃至第５レンズ群Ｌ５のレンズ構成、ズーミングにおける各レンズ群の移動軌跡等は実施例１と同じである。
【００６３】
実施例３において、第６レンズ群Ｌ６は両凸形状の正レンズと負レンズを接合した接合レンズからなる。また第７レンズ群Ｌ７は両凸形状の単レンズからなり、第８レンズ群Ｌ８は１つの正レンズからなる。実施例１乃至６において無限遠物体から近距離物体へのフォーカスは第７レンズ群Ｌ７を物体側へ繰り出す事により行っている。フォーカシングを第２レンズ群Ｌ２、第５レンズ群Ｌ５、第６レンズ群Ｌ６、若しくは第４レンズ群Ｌ４の一部で行っても良い。
【００６４】
実施例１乃至６においては第３レンズ群Ｌ３の反射部材ＰＲで光路を折り曲げ、第４レンズ群Ｌ４以降のレンズ群の光軸はカメラボディ内の横方向に展開される構成を想定している。
【００６５】
以上のように、各実施例によれば広角端における撮影半画角が３６°程度以上の広画角を有しつつ、１５〜２５倍程度のズーム比を有しカメラの厚み方向と横幅方向共にコンパクトで携帯性に優れたズームレンズが得られる。
【００６６】
次に本発明のズームレンズを撮影光学系として用いたデジタルカメラ（光学機器）の実施形態を図１５を用いて説明する。図１５において、２０はデジタルカメラ本体、２１は上述の実施例のズームレンズによって構成された撮影光学系である。ＰＲは反射部材（反射プリズム）である。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。
【００６７】
上記表示素子は液晶パネル等によって構成され、撮像素子２２上に形成された画像が表示される。このように本発明のズームレンズをデジタルカメラ等に適用することにより、小型で高い光学性能を有する撮像装置を実現している。
【００６８】
次に、本発明の各実施例に対応する数値実施例を示す。数値実施例において、ｉは物体側からの面の順序を示す。ｒｉはレンズ面の曲率半径、ｄｉは第ｉ面と第ｉ＋１面との間のレンズ肉厚および空気間隔である。ｎｄｉ、νｄｉはそれぞれｄ線に対する屈折率、アッベ数を表す。ｒ１２、ｒ１３は反射プリズムＰＲの光学面である。また、ｋ、Ａ４、Ａ６、Ａ８、Ａ１０、Ａ１２は非球面係数である。非球面形状は光軸からの高さｈの位置での光軸方向の変位を、面頂点を基準にしてｘとするとき以下の式で定義される。
【００６９】
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10＋A12ｈ12
但し、ここでＲは曲率半径である。又、前述の各条件式と各実施例との関係を表１に示す。
【００７０】
［数値実施例１］
単位 mm
面データ
面番号       r        d      nd         νd
1         29.025    1.10   1.85478    24.8           
2         18.526    4.20   1.49700    81.5           
3        165.478    0.10                             
4         21.107    2.30   1.69680    55.5           
5         98.086  (可変)                             
6       -111.165    0.50   1.84954    40.1           
7*         6.305    3.68                             
8        -20.120    0.50   1.83481    42.7           
9         37.197    0.09                             
10         18.431    2.10   1.95906    17.5           
11        -43.500  (可変)                             
12          ∞       8.00   1.83481    42.7           
13          ∞       0.84                             
14        -16.566    0.60   1.88300    40.8           
15        -37.124  (可変)                             
16*         8.382    2.50   1.55332    71.7           
17*       -25.554    1.00                             
18(絞り)    ∞       0.00                             
19          ∞       1.00                             
20          9.813    0.60   2.00069    25.5           
21          6.796    1.59                             
22         27.707    2.50   1.48749    70.2           
23        -11.397    0.50   1.88300    40.8           
24        -20.659  (可変)                             
25        -31.923    0.50   1.88300    40.8           
26         16.481    1.00   1.95906    17.5           
27         25.798  (可変)                             
28*        21.298    1.30   1.55332    71.7           
29       2981.040  (可変)                             
30*        18.670    2.30   1.74330    49.3           
31        -24.469    0.40   2.00272    19.3           
32        -50.650  (可変)                             
33          ∞       0.80   1.51633    64.1           
34          ∞     1.80                             
像面        ∞   
非球面データ
第7面
K =-3.41695e-001  A 4= 2.52255e-005  A 6=-2.61809e-006  A 8=-7.30747e-009  A10= 9.35342e-010  A12=-4.44237e-011  
第16面
K =-1.80834e+000  A 4= 1.54618e-004  A 6=-6.59289e-007  A 8= 1.17724e-009  
第17面
K =-8.37502e-001  A 4= 5.79250e-005  A 6=-2.19491e-008  
第28面
K = 9.01266e-001  A 4=-3.98994e-005  A 6=-3.80944e-008  
第30面
K =-8.78268e-001  A 4= 3.07582e-005  A 6=-2.50845e-007  
各種データ
ズーム比     18.99 
広角     中間     望遠
焦点距離       5.15     7.17    97.80  
Fナンバー      3.67     3.89     6.07  
半画角（度）   36.95    28.40     2.27  
像高           3.88     3.88     3.88  
レンズ全長    79.53    78.40    90.57  
BF            11.28    10.93     3.62  
d 5            0.70     1.64    17.54  
d11            6.70     4.63     0.90  
d15           13.72    10.94     0.80  
d24            1.34     4.11    14.26  
d27            5.81     4.37     1.03  
d29            0.80     2.59    13.24  
d32            8.96     8.61     1.30  
ズームレンズ群データ
群  始面    焦点距離  
1    1      30.62  
2    6      -8.40  
3   12     -34.35  
4   16      13.70  
5   25     -16.42  
6   28      38.76  
7   30      20.66  
8   33       ∞    
【００７１】
［数値実施例２］
単位 mm
面データ
面番号       r        d      nd         νd
1         29.216    1.10   1.85478    24.8           
2         18.382    4.50   1.49700    81.5           
3        169.276    0.10                             
4         20.722    2.40   1.69680    55.5           
5         90.419  (可変)                             
6        -93.045    0.50   1.84954    40.1           
7*         5.864    3.68                             
8        -18.214    0.50   1.59282    68.6           
9         35.315    0.09                             
10         18.232    2.30   1.95906    17.5           
11        -59.144  (可変)                             
12          ∞       8.00   1.83481    42.7           
13          ∞       0.84                             
14        -16.566    0.60   1.88300    40.8           
15        -37.124  (可変)                             
16*         8.313    2.50   1.55332    71.7           
17*       -26.156    1.00                             
18(絞り)    ∞       0.00                             
19          ∞       1.00                             
20         10.257    0.60   2.00330    28.3           
21          6.899    1.56                             
22         22.721    2.50   1.48749    70.2           
23        -12.147    0.50   2.00330    28.3           
24        -20.506  (可変)                             
25        -36.118    0.50   1.88300    40.8           
26         10.175    1.30   1.85478    24.8           
27         23.838  (可変)                             
28*        19.118    1.30   1.55332    71.7           
29        167.210  (可変)                             
30*        19.030    2.30   1.74330    49.3           
31        -26.860    0.40   2.00272    19.3           
32        -46.358  (可変)                             
33          ∞       0.50   1.51633    64.1           
34          ∞     1.99                             
像面        ∞   
非球面データ
第7面
K =-3.69593e-001  A 4=-6.13848e-005  A 6=-4.98232e-006  A 8=-1.35481e-008  A10= 1.09873e-009  A12=-6.65912e-011  
第16面
K =-1.94758e+000  A 4= 2.09076e-004  A 6=-1.42158e-006  A 8= 8.33041e-010  
第17面
K = 5.33799e-001  A 4= 8.72011e-005  A 6=-6.08488e-007  
第28面
K = 5.01847e-001  A 4=-5.12721e-005  A 6= 6.07526e-008  
第30面
K =-2.82238e-001  A 4= 1.77862e-005  A 6=-3.04446e-007  
各種データ
ズーム比     19.03 
広角     中間     望遠
焦点距離       5.14     7.46    97.80  
Fナンバー      3.65     4.15     6.07  
画角          37.01    27.45     2.27  
像高           3.88     3.88     3.88  
レンズ全長    80.05    79.32    91.33  
BF            11.65    11.28     3.62  
d 5            0.70     2.00    17.69  
d11            6.61     4.59     0.90  
d15           13.66    10.51     0.80  
d24            1.21     4.37    14.08  
d27            5.35     4.05     1.00  
d29            0.80     2.47    13.18  
d32            9.33     8.96     1.30  
ズームレンズ群データ
群  始面    焦点距離  
1    1      30.84  
2    6      -8.60  
3   12     -34.35  
4   16      13.73  
5   25     -15.62  
6   28      38.89  
7   30      19.89  
8   33       ∞    
【００７２】
［数値実施例３］
単位 mm
面データ
面番号       r        d      nd         νd
1         31.191    1.10   1.85478    24.8           
2         18.246    4.28   1.49700    81.5           
3        139.401    0.10                             
4         20.943    2.30   1.77250    49.6           
5        102.345  (可変)                             
6       -201.900    1.05   1.84954    40.1           
7*         6.012    3.68                             
8        -19.697    0.60   1.88300    40.8           
9         25.426    0.09                             
10         17.372    2.21   1.94595    18.0           
11        -31.838  (可変)                             
12          ∞       8.00   1.83400    37.2           
13          ∞       0.84                             
14        -16.566    0.60   1.88300    40.8           
15        -37.124  (可変)                             
16*         9.630    2.50   1.55332    71.7           
17*       -34.992    1.00                             
18(絞り)    ∞       1.00                             
19          9.487    0.60   1.91809    33.6           
20          7.030    1.67                             
21         16.215    3.50   1.48749    70.2           
22        -11.396    0.60   2.00330    28.3           
23        -19.120  (可変)                             
24        -60.286    0.50   1.80400    46.6           
25          6.349    1.00   1.80610    33.3           
26         16.478  (可変)                             
27         20.220    1.70   1.49700    81.5           
28        -43.977    0.50   1.85478    24.8           
29       1094.596  (可変)                             
30*        14.397    2.60   1.55332    71.7           
31        -58.458  (可変)                             
32         23.757    1.04   1.85478    24.8           
33         44.813    2.00                             
34          ∞       0.80   1.51633    64.1           
35          ∞     0.29                             
像面        ∞   
非球面データ
第7面
K =-2.25214e-001  A 4=-4.08166e-005  A 6=-6.66455e-006  A 8= 6.05668e-008  A10= 8.50626e-010  A12=-9.00224e-011  
第16面
K =-1.27172e+000  A 4= 8.73763e-005  A 6=-2.13428e-006  A 8=-5.69547e-008  A10= 7.22877e-010  
第17面
K =-1.16189e+000  A 4= 7.03186e-005  A 6=-3.61622e-006  
第30面
K = 0.00000e+000  A 4=-2.61725e-005  
各種データ
ズーム比     18.97 
広角     中間     望遠
焦点距離       5.15     8.86    97.80  
Fナンバー      2.94     3.42     6.07  
画角          36.94    23.63     2.27  
像高           3.88     3.88     3.88  
レンズ全長    89.13    89.47    99.60  
BF             3.24     3.24     3.24  
d 5            0.59     3.17    16.70  
d11            6.53     4.29     0.90  
d15           15.10    11.61     0.80  
d23            0.87     4.36    15.18  
d26            8.87     6.52     1.03  
d29            4.00     8.91    18.96  
d31            7.91     5.36     0.80  
ズームレンズ群データ
群  始面    焦点距離  
1    1      30.08  
2    6      -7.85  
3   12     -34.35  
4   16      13.61  
5   24     -16.01  
6   27      62.83  
7   30      21.15  
8   32      57.83  
9   34       ∞    
【００７３】
［数値実施例４］
単位 mm
面データ
面番号       r        d      nd         νd
1         28.847    1.10   1.85478    24.8           
2         18.520    4.30   1.49700    81.5           
3        367.400    0.10                             
4         20.867    2.30   1.69680    55.5           
5         92.328  (可変)                             
6       -108.853    0.50   1.84954    40.1           
7*         6.155    3.81                             
8        -19.925    0.50   1.83481    42.7           
9         32.687    0.09                             
10         18.281    2.20   1.95906    17.5           
11        -45.746  (可変)                             
12          ∞       8.00   1.83481    42.7           
13          ∞       0.84                             
14        -16.566    0.60   1.88300    40.8           
15        -37.124  (可変)                             
16*         8.129    2.50   1.49700    81.5           
17*       -18.843    1.00                             
18(絞り)    ∞       0.00                             
19          ∞       1.00                             
20          9.276    0.60   2.00069    25.5           
21          6.781    1.67                             
22         38.087    2.50   1.48749    70.2           
23        -12.307    0.50   1.88300    40.8           
24        -20.646  (可変)                             
25        -28.912    0.50   1.88300    40.8           
26         13.543    1.00   1.95906    17.5           
27         24.165  (可変)                             
28*        34.310    1.30   1.55332    71.7           
29        -60.656  (可変)                             
30*        18.330    2.40   1.76802    49.2           
31        -21.195    0.40   1.95906    17.5           
32        -52.153  (可変)                             
33          ∞       0.80   1.51633    64.1           
34          ∞     1.78                             
像面        ∞   
非球面データ
第7面
K =-3.88896e-001  A 4= 2.72804e-005  A 6=-1.27015e-006  A 8=-4.96261e-008  A10= 1.86482e-009  A12=-5.55864e-011  
第16面
K =-1.66980e+000  A 4= 1.31192e-004  A 6=-2.41725e-006  A 8=-7.08056e-009  
第17面
K =-3.77427e+000  A 4= 5.16959e-005  A 6=-2.45772e-006  
第28面
K = 6.07793e+000  A 4=-5.48847e-005  A 6= 5.00162e-007  
第30面
K =-9.34293e-001  A 4= 4.44699e-005  A 6=-4.50415e-007  
各種データ
ズーム比     18.98 
広角     中間     望遠
焦点距離       5.15     7.04    97.80  
Fナンバー      3.75     3.96     6.07  
画角          36.94    28.82     2.27  
像高           3.88     3.88     3.88  
レンズ全長    79.54    78.48    89.93  
BF            11.21    10.92     3.61  
d 5            0.70     1.39    16.61  
d11            6.42     4.67     0.90  
d15           12.97    10.24     0.80  
d24            1.62     4.35    13.79  
d27            5.39     4.11     1.12  
d29            1.53     3.10    13.41  
d32            8.90     8.61     1.30  
ズームレンズ群データ
群  始面    焦点距離  
1    1      29.10  
2    6      -7.78  
3   12     -34.35  
4   16      13.39  
5   25     -15.29  
6   28      39.80  
7   30      19.76  
8   33       ∞    
【００７４】
［数値実施例５］
単位 mm
面データ
面番号       r        d      nd         νd
1         28.934    1.10   1.85478    24.8           
2         18.576    4.20   1.49700    81.5           
3        190.531    0.10                             
4         21.116    2.30   1.69680    55.5           
5         97.669  (可変)                             
6       -105.715    0.50   1.84954    40.1           
7*         6.366    3.68                             
8        -19.957    0.50   1.83481    42.7           
9         36.449    0.09                             
10         18.136    2.10   1.95906    17.5           
11        -44.498  (可変)                             
12          ∞       8.00   1.83481    42.7           
13          ∞       0.84                             
14        -16.566    0.60   1.88300    40.8           
15        -37.124  (可変)                             
16*         8.342    2.50   1.55332    71.7           
17*       -25.623    1.00                             
18(絞り)    ∞       0.00                             
19          ∞       1.00                             
20         10.072    0.60   2.00069    25.5           
21          6.798    1.50                             
22         28.661    2.50   1.48749    70.2           
23        -11.133    0.50   1.88300    40.8           
24        -21.572  (可変)                             
25        -42.602    0.50   1.88300    40.8           
26         16.828    1.00   1.95906    17.5           
27         30.924  (可変)                             
28*        19.520    1.30   1.55332    71.7           
29        185.397  (可変)                             
30*        21.980    2.30   1.74330    49.3           
31        -18.813    0.40   2.00272    19.3           
32        -38.462  (可変)                             
33          ∞       0.80   1.51633    64.1           
34          ∞     1.80                             
像面        ∞   
非球面データ
第7面
K =-3.25008e-001  A 4= 2.02349e-005  A 6=-2.02643e-006  A 8=-5.52252e-008  A10= 1.00641e-009  A12=-3.14473e-011  
第16面
K =-1.78084e+000  A 4= 1.07830e-004  A 6=-6.33286e-007  A 8=-6.36902e-009  
第17面
K =-8.22510e-001  A 4=-7.42991e-007  A 6= 1.25564e-007  
第28面
K =-2.99681e-003  A 4=-3.47298e-005  A 6= 1.06592e-007  
第30面
K =-2.82638e-001  A 4= 1.81962e-005  A 6=-2.76482e-007  
各種データ
ズーム比     18.99 
広角     中間     望遠
焦点距離       5.15     7.20    97.80  
Fナンバー      3.66     3.83     6.07  
画角          36.96    28.30     2.27  
像高           3.88     3.88     3.88  
レンズ全長    80.69    79.62    91.68  
BF            10.79    10.79     4.02  
d 5            0.70     1.81    17.39  
d11            6.61     4.42     0.90  
d15           13.96    11.08     0.80  
d24            1.26     4.15    14.42  
d27            7.47     5.67     1.48  
d29            0.80     2.60    13.56  
d32            8.46     8.46     1.70  
ズームレンズ群データ
群  始面    焦点距離  
1    1      30.18  
2    6      -8.41  
3   12     -34.35  
4   16      14.28  
5   25     -21.00  
6   28      39.32  
7   30      22.01  
8   33       ∞    
【００７５】
［数値実施例６］
単位 mm
面データ
面番号       r        d      nd         νd
1         28.887    1.10   1.85478    24.8           
2         18.595    4.35   1.49700    81.5           
3        178.495    0.10                             
4         21.249    2.40   1.69680    55.5           
5         97.329  (可変)                             
6       -125.028    0.50   1.84954    40.1           
7*         6.250    4.09                             
8        -19.992    0.50   1.83481    42.7           
9         35.566    0.09                             
10         18.461    2.20   1.95906    17.5           
11        -44.682  (可変)                             
12          ∞       8.00   1.83481    42.7           
13          ∞       0.84                             
14        -16.566    0.60   1.88300    40.8           
15        -37.124  (可変)                             
16*         8.442    2.50   1.55332    71.7           
17*       -26.523    1.00                             
18(絞り)    ∞       0.00                             
19          ∞       1.00                             
20          9.816    0.60   2.00069    25.5           
21          6.762    1.40                             
22         28.360    2.50   1.48749    70.2           
23        -11.720    0.50   1.88300    40.8           
24        -20.343  (可変)                             
25        -20.507    0.50   1.88300    40.8           
26         17.453    1.00   1.95906    17.5           
27         32.849  (可変)                             
28*        27.183    1.30   1.55332    71.7           
29       -117.100  (可変)                             
30*        16.535    2.50   1.58313    59.4           
31        -18.122    0.40   2.00272    19.3           
32        -25.677  (可変)                             
33          ∞       0.80   1.51633    64.1           
34          ∞     0.75                             
像面        ∞   
非球面データ
第7面
K =-2.99122e-001  A 4= 3.39049e-005  A 6=-1.45190e-006  A 8=-2.53443e-007  A10= 1.18334e-008  A12=-2.05586e-010  
第16面
K =-1.80490e+000  A 4= 1.88604e-004  A 6=-8.19104e-007  A 8= 1.58539e-009  
第17面
K =-9.49948e-001  A 4= 8.49721e-005  A 6=-2.46334e-007  
第28面
K = 1.42218e+000  A 4=-1.93602e-005  A 6= 2.06920e-007  
第30面
K =-9.34401e-001  A 4= 3.29907e-006  A 6=-3.39966e-007  
各種データ
ズーム比     23.64 
広角     中間     望遠
焦点距離       5.16     7.30   121.90  
Fナンバー      3.75     4.00     6.89  
画角          36.92    27.96     1.82  
像高           3.88     3.88     3.88  
レンズ全長    83.63    82.56    94.84  
BF            13.43    13.45     3.57  
d 5            0.70     1.77    17.81  
d11            6.84     4.69     0.93  
d15           13.39    10.61     0.80  
d24            1.40     4.19    14.00  
d27            7.11     5.28     1.00  
d29            0.80     2.62    16.77  
d32           12.16    12.17     2.30  
ズームレンズ群データ
群  始面    焦点距離  
1    1      30.49  
2    6      -8.22  
3   12     -34.35  
4   16      13.86  
5   25     -14.54  
6   28      40.00  
7   30      19.93  
8   33       ∞    
【００７６】
【表１】
0005825983.tif 000002
【符号の説明】
【００７７】
Ｌ１  第１レンズ群、Ｌ２  第２レンズ群、Ｌ３  第３レンズ群、Ｌ４  第４レンズ群、
Ｌ５  第５レンズ群、Ｌ６  第６レンズ群、Ｌ７  第７レンズ群  ＰＲ  反射部材、
ＬＲ  後群
【図１】
0005825983.tif 000003
【図２】
0005825983.tif 000004
【図３】
0005825983.tif 000005
【図４】
0005825983.tif 000006
【図５】
0005825983.tif 000007
【図６】
0005825983.tif 000008
【図７】
0005825983.tif 000009
【図８】
0005825983.tif 000010
【図９】
0005825983.tif 000011
【図１０】
0005825983.tif 000012
【図１１】
0005825983.tif 000013
【図１２】
0005825983.tif 000014
【図１３】
0005825983.tif 000015
【図１４】
0005825983.tif 000016
【図１５】
0005825983.tif 000017